(57)【要約】【課題】コピー機などで画像読取を行うのに際して表示モードを切り替えるユーザの操作負担を低減することができる表示端末装置および表示制御プログラムを提供する。【解決手段】表示端末では、画像が表示される表示パネルの表示面の向きに所定の変化があったか否かが判断される（Ｓ１）。表示パネルの表示面が下向きから他の向きに変化した場合は（Ｓ１：ＹＥＳ、Ｓ３：ＮＯ）、ユーザが画像を閲覧するのに好適な通常表示モードに設定される（Ｓ５）。表示パネルの表示面が他の向きから下向きに変化した場合は（Ｓ１：ＹＥＳ、Ｓ３：ＹＥＳ）、コピー機などの画像読取に好適なスキャナ表示モードに設定される（Ｓ７）。【選択図】図５
2010210964.tif 000002
【特許請求の範囲】
【請求項１】
画像が表示される表示面を有する表示手段と、
画像データを記憶する記憶手段と、
前記表示手段の表示面が向いている方向を検出する方向検出手段と、
前記画像データに基づく画像を前記表示手段に表示させる表示制御手段とを備え、
前記表示制御手段は、
前記方向検出手段による検出結果に基づいて、前記表示手段の表示面が向いている方向を判断する方向判断手段と、
前記方向判断手段によって前記表示手段の表示面が向いていると判断された方向に応じて、前記画像データに基づく画像を、ユーザに閲覧させる閲覧状態と画像読取装置に読み取らせる読取状態とを少なくとも含む複数の表示状態のいずれかに従って前記表示手段に表示させる表示状態制御手段と
を備えたことを特徴とする表示端末装置。
【請求項２】
前記方向判断手段は、前記方向検出手段による検出結果に基づいて、前記表示手段の表示面が少なくとも重力方向に対して上方向および下方向のいずれに向いているかを判断し、
前記表示状態制御手段は、前記方向判断手段によって前記表示手段の表示面が前記上方向に向いていると判断された場合に、前記画像データに基づく画像を前記閲覧状態に従って表示させる閲覧表示制御手段と、前記方向判断手段によって前記表示手段の表示面が前記下方向に向いていると判断された場合に、前記画像データに基づく画像を前記読取状態に従って表示させる読取表示制御手段とを、少なくとも含むことを特徴とする請求項１に記載の表示端末装置。
【請求項３】
前記閲覧表示制御手段は、前記閲覧状態として、前記画像データに基づく画像を所定のコントラスト比で表示させ、
前記読取表示制御手段は、前記読取状態として、前記画像データに基づく画像を前記所定のコントラスト比よりも高いコントラスト比で表示させることを特徴とする請求項２に記載の表示端末装置。
【請求項４】
前記閲覧表示制御手段は、前記閲覧状態として、前記画像データに基づく画像を所定の諧調で表示させ、
前記読取表示制御手段は、前記読取状態として、前記画像データに基づく画像を前記所定の諧調よりも低い諧調で表示させることを特徴とする請求項２または３に記載の表示端末装置。
【請求項５】
前記閲覧表示制御手段は、前記閲覧状態として、前記表示手段に対する前回の画像表示から第１の所定時間を経過した場合に、前記表示端末装置を消費電力が抑制されるスリープ状態に制御し、
前記読取表示制御手段は、前記読取状態として、前記表示手段に対する前回の画像表示から前記第１の所定時間よりも長い第２の所定時間を経過した場合に、前記表示端末装置を前記スリープ状態に制御することを特徴とする請求項２〜４のいずれかに記載の表示端末装置。
【請求項６】
画像が表示される表示面を有する表示手段と、
画像データを記憶する記憶手段と、
前記表示手段の表示面が向いている方向を検出する方向検出手段と、
を備えた表示端末装置に用いられ、前記画像データに基づく画像を前記表示手段に表示させるための表示制御プログラムであって、
前記表示端末装置に、
前記表示手段の表示面が向いている方向を検出する方向検出手段による検出結果に基づいて、前記表示手段の表示面が向いている方向を判断する方向判断ステップ、
前記方向判断ステップによって前記表示手段の表示面が向いていると判断された方向に応じて、前記画像データに基づく画像を、ユーザに閲覧させる閲覧状態と画像読取装置に読み取らせる読取状態とを少なくとも含む複数の表示状態のいずれかに従って前記表示手段に表示させる表示状態制御ステップ
を実行させるための表示制御プログラム。
【発明の詳細な説明】
【技術分野】
【０００１】
本発明は、表示画像を複写可能な表示端末装置および表示制御プログラムに関する。
【背景技術】
【０００２】
従来、軽量・薄型の表示装置（いわゆる、電子ペーパー）に表示される画像を、コピー機に読み取らせて複写することが知られている。このとき、電子ペーパーをコピー機での画像読取に適した表示モード（例えば、コピースキャンモード）とするために、ユーザがコントラスト比やスリープ時間等を手動で操作設定していた。
【０００３】
また、従来の電子ペーパーの一種として、表示装置の回動を検知して表示画面を自動的に切り替えるようにした表示装置が知られている。例えば、特許文献１に記載の表示装置では、表示装置本体の表裏にそれぞれ表示パネルが設けられる。表示装置本体に配設されたジャイロセンサによって、各表示パネルにおける回転動作を含む所定の頁めくり操作が検出される。ジャイロセンサによって検出された頁めくり操作の回転方向に応じて、正面側に位置される表示パネルに前頁または後頁の画像が描画される。
【先行技術文献】
【特許文献】
【０００４】
【特許文献１】特開２００３−２１６３００号公報
【発明の概要】
【発明が解決しようとする課題】
【０００５】
特許文献１に記載の表示装置では、表示画面切り替え時の操作性を向上させることができる。しかしながら、電子ペーパーの使用目的（例えば、コピー機での画像読取）に応じて表示モードを切り替える場合には、ユーザがコントラスト比やスリープ時間等を手動で操作設定しなければならない点は従来と同様であり、表示モードの切り替えに伴うユーザの操作負担が生じるおそれがあった。
【０００６】
本発明は、上記課題を解決するためになされたものであり、コピー機などで画像読取を行うのに際して表示モードを切り替えるユーザの操作負担を低減することができる表示端末装置および表示制御プログラムを提供することを目的とする。
【課題を解決するための手段】
【０００７】
上記課題を解決するために、請求項１に係る発明の表示端末装置は、画像が表示される表示面を有する表示手段と、画像データを記憶する記憶手段と、前記表示手段の表示面が向いている方向を検出する方向検出手段と、前記画像データに基づく画像を前記表示手段に表示させる表示制御手段とを備え、前記表示制御手段は、前記方向検出手段による検出結果に基づいて、前記表示手段の表示面が向いている方向を判断する方向判断手段と、前記方向判断手段によって前記表示手段の表示面が向いていると判断された方向に応じて、前記画像データに基づく画像を、ユーザに閲覧させる閲覧状態と画像読取装置に読み取らせる読取状態とを少なくとも含む複数の表示状態のいずれかに従って前記表示手段に表示させる表示状態制御手段とを備えている。
【０００８】
請求項２に係る発明の表示端末装置は、請求項１に記載の発明の構成に加えて、前記方向判断手段は、前記方向検出手段による検出結果に基づいて、前記表示手段の表示面が少なくとも重力方向に対して上方向および下方向のいずれに向いているかを判断し、前記表示状態制御手段は、前記方向判断手段によって前記表示手段の表示面が前記上方向に向いていると判断された場合に、前記画像データに基づく画像を前記閲覧状態に従って表示させる閲覧表示制御手段と、前記方向判断手段によって前記表示手段の表示面が前記下方向に向いていると判断された場合に、前記画像データに基づく画像を前記読取状態に従って表示させる読取表示制御手段とを、少なくとも含むことを特徴とする。
【０００９】
請求項３に係る発明の表示端末装置は、請求項２に記載の発明の構成に加えて、前記閲覧表示制御手段は、前記閲覧状態として、前記画像データに基づく画像を所定のコントラスト比で表示させ、前記読取表示制御手段は、前記読取状態として、前記画像データに基づく画像を前記所定のコントラスト比よりも高いコントラスト比で表示させることを特徴とする。
【００１０】
請求項４に係る発明の表示端末装置は、請求項２または３に記載の発明の構成に加えて、前記閲覧表示制御手段は、前記閲覧状態として、前記画像データに基づく画像を所定の諧調で表示させ、前記読取表示制御手段は、前記読取状態として、前記画像データに基づく画像を前記所定の諧調よりも低い諧調で表示させることを特徴とする。
【００１１】
請求項５に係る発明の表示端末装置は、請求項２〜４のいずれかに記載の発明の構成に加えて、前記閲覧表示制御手段は、前記閲覧状態として、前記表示手段に対する前回の画像表示から第１の所定時間を経過した場合に、前記表示端末装置を消費電力が抑制されるスリープ状態に制御し、前記読取表示制御手段は、前記読取状態として、前記表示手段に対する前回の画像表示から前記第１の所定時間よりも長い第２の所定時間を経過した場合に、前記表示端末装置を前記スリープ状態に制御することを特徴とする。
【００１２】
請求項６に係る発明の表示制御プログラムは、画像が表示される表示面を有する表示手段と、画像データを記憶する記憶手段と、前記表示手段の表示面が向いている方向を検出する方向検出手段と、を備えた表示端末装置に用いられ、前記画像データに基づく画像を前記表示手段に表示させるための表示制御プログラムであって、前記表示端末装置に、前記表示手段の表示面が向いている方向を検出する方向検出手段による検出結果に基づいて、前記表示手段の表示面が向いている方向を判断する方向判断ステップ、前記方向判断ステップによって前記表示手段の表示面が向いていると判断された方向に応じて、前記画像データに基づく画像を、ユーザに閲覧させる閲覧状態と画像読取装置に読み取らせる読取状態とを少なくとも含む複数の表示状態のいずれかに従って前記表示手段に表示させる表示状態制御ステップを実行させることを特徴とする。
【発明の効果】
【００１３】
請求項１に係る発明の表示端末装置では、表示手段の表示面が向いている方向に応じて、閲覧状態と読取状態とを含む複数の表示状態のいずれかに従って、表示手段に画像が表示される。これによれば、表示手段の表示面の向きを変えるだけで複数の表示状態を切り替えることができるので、画像読取装置での画像読取に好適な読取状態に切り替えるユーザの操作負担を軽減することができる。
【００１４】
請求項２に係る発明の表示端末装置では、表示手段の表示面が少なくとも重力方向に対して上方向および下方向のいずれに向いているかが判断される。表示面が上方向に向いていれば閲覧状態で画像が表示され、表示面が下方向に向いていれば読取状態で画像が表示される。これによれば、請求項１に記載の発明の効果に加えて、ユーザの自然な動作に即して最適な表示状態に制御されるため、用途や目的に応じて正確かつ容易に表示状態を切り替えることができる。
【００１５】
請求項３に係る発明の表示端末装置では、読取状態では閲覧状態よりも高いコントラスト比で画像が表示される。これによれば、請求項２に記載の発明の効果に加えて、読取状態では画像読取に好適な高コントラストで画像が表示されるため、画像読取装置によって読み取られた画像の視認性を高めることができる。
【００１６】
請求項４に係る発明の表示端末装置では、読取状態では閲覧状態よりも低い諧調で画像が表示される。これによれば、請求項２または３に記載の発明の効果に加えて、読取状態では画像読取に好適な低諧調で画像が表示されるため、画像読取装置によって読み取られた画像の視認性を高めることができる。
【００１７】
請求項５に係る発明の表示端末装置では、読取状態では閲覧状態よりも長い所定時間が前回の画像表示から経過した場合に、消費電力が抑制されるスリープ状態に制御される。これによれば、請求項２〜４のいずれかに記載の発明の効果に加えて、読取状態では閲覧状態よりもスリープ状態に制御されにくくして、画像読取の実行中にスリープ状態に制御される不具合の発生を抑制することができる。
【００１８】
請求項６に係る発明の表示制御プログラムでは、表示手段の表示面が向いている方向に応じて、閲覧状態と読取状態とを含む複数の表示状態のいずれかに従って、表示手段に画像が表示される。これによれば、表示手段の表示面の向きを変えるだけで複数の表示状態を切り替えることができるので、画像読取装置での画像読取に好適な読取状態に切り替えるユーザの操作負担を軽減することができる。
【図面の簡単な説明】
【００１９】
【図１】表示端末１の斜視図である。
【図２】通常画面３１が表示された表示端末１の平面図である。
【図３】表示端末１の電気的構成を示すブロック図である。
【図４】ＥＥＰＲＯＭ１０４の各種記憶エリアを概念図である。
【図５】メイン処理を示すフローチャートである。
【図６】通常表示モード処理を示すフローチャートである。
【図７】スキャナ表示モード処理を示すフローチャートである。
【図８】スキャナ画面３２が表示された表示端末１の平面図である。
【図９】コピー機２の原稿台２０２に表示端末１を載置した状態を示す斜視図である。
【図１０】原稿台２０２に載置された表示端末１の画像をスキャナヘッド２０４で走査する態様を示す図である。
【図１１】原稿台２０２に表示端末１を載置した状態の平面図である。
【図１２】スキャナ処理を示すフローチャートである。
【発明を実施するための形態】
【００２０】
以下、本発明を具現化した実施の形態について、図面を参照して説明する。なお、参照する図面は、本発明が採用しうる技術的特徴を説明するために用いられるものであり、記載されている装置の構成、各種処理のフローチャートなどは、それのみに限定する趣旨ではなく、単なる説明例である。
【００２１】
本実施形態に係る表示端末１の物理的構成について、図１および図２を参照して説明する。表示端末１は、電気泳動方式の表示パネル３を備えた軽量・薄型の表示装置である。表示パネル３としては、電気泳動表示パネルの他、軽量・薄型の反射型液晶などを適用可能である。電気泳動表示パネルの基本原理は、プラスに帯電した白の電気泳動粒子とマイナスに帯電した黒の電気泳動粒子を、電気泳動によって表示液中を移動させて画像を白黒で形成する。
【００２２】
表示端末１は、所定厚を有する平面視長方形状の板状に形成され、その上面に平面視長方形状の表示パネル３が形成されている。表示パネル３には、テキストや図表等から構成される種々のコンテンツが表示される。これらのコンテンツは、表示パネル３の表示面からユーザが視認可能となる。なお、表示パネル３の表示面が配設される上面側（図１では上側）を、表示端末１の正面側とする。外部記憶媒体４には、表示パネル３に表示されるコンテンツが記録されている。外部記憶媒体４としては、例えば、フレキシブルディスク、光ディスク、メモリカード等である。なお、後述するＲＯＭ１０２、ＲＡＭ１０３、ＥＥＰＲＯＭ１０４（図３参照）等に、コンテンツが記録されていてもよい。
【００２３】
表示端末１の前面右側には、外部記憶媒体４を挿入するための記憶媒体挿入口２０（図１参照）が設けられている。記憶媒体挿入口２０の奥には、後述する記憶媒体読込部１１２（図３参照）が設けられている。記憶媒体挿入口２０に外部記憶媒体４を挿入すると、外部記憶媒体４に記憶されたコンテンツ情報が記憶媒体読込部１１２に読み込まれ、そのコンテンツ情報に対応する画像が表示パネル３に表示される。各コンテンツ情報には、一のコンテンツを構成する複数の画像を示す画像データが含まれている。
【００２４】
表示パネル３の周囲には平面視長方形状の表示枠５が形成されている。表示枠５は、平面視帯状の下枠部位５１、右枠部位５２、左枠部位５３および上枠部位５４からなる。下枠部位５１は、右枠部位５２、左枠部位５３および上枠部位５４よりも幅広に形成されている。下枠部位５１の幅方向略中央には、表示端末１を操作するための操作部１０８が設けられている。操作部１０８は、多機能ボタン６、送りボタン７、戻しボタン８からなる。多機能ボタン６は、メニュー選択、コンテンツや画像の選択および決定、画像・画質の調整等を行うためのボタンである。送りボタン７は、表示パネル３に表示された画像のページを送るためのボタンである。戻しボタン８は、画像のページを戻すためのボタンである。多機能ボタン６、送りボタン７、戻しボタン８の押圧（つまり、操作部１０８でのキー操作）によって、ユーザは外部記憶媒体４に記憶されている任意のコンテンツを選択したり、そのコンテンツ中に含まれる任意の画像を表示させたりすることができる。
【００２５】
表示枠５には、後述するスキャナヘッド２０４（図１０参照）が発するスキャナ光を検出するための８つの光センサ１１〜１８が設けられている。具体的には、表示枠５を構成する４つの枠部位５１〜５４に、それぞれ一対の第１，第２光センサが設けられている。第１光センサは、表示枠５の幅方向の外側に配置されるセンサである。第２光センサは、表示枠５の幅方向の内側に配置されるセンサである。これら光センサ１１〜１８は、一般的なフォトセンサである。
【００２６】
さらに具体的に説明すると、下枠部位５１には、第１光センサ１１および第２光センサ１２が各々設けられている。右枠部位５２には、第１光センサ１３および第２光センサ１４が各々設けられている。左枠部位５３には、第１光センサ１５および第２光センサ１６が各々設けられている。上枠部位５４には、第１光センサ１７および第２光センサ１８が各々設けられている。
【００２７】
第１光センサ１１，１７および第２光センサ１２，１８は、下枠部位５１および上枠部位５４において上下方向に互いに離間して配置されている。第１光センサ１３，１５および第２光センサ１４，１６は、右枠部位５２および左枠部位５３において左右方向に互いに離間して配置されている。このことは、表示端末１を後述する原稿台２０２（図９参照）に載置した場合に、第１光センサおよび第２光センサの離間する方向が、後述するスキャナヘッド２０４（図１０参照）の走査方向に対して平行になるようになっている。
【００２８】
また、右枠部位５２および左枠部位５３には、それぞれの内部に一対のジャイロセンサが設けられている。詳細には、第１ジャイロセンサ２１は、右枠部位５２の内部における、平面視で表示パネル３の上下方向（図２では左右方向）の略中間位置に設けられている。第２ジャイロセンサ２２は、左枠部位５３の内部における、平面視で表示パネル３の上下方向（図２では左右方向）の略中間位置に設けられている。つまり、ジャイロセンサ２１，２２は、右枠部位５２および左枠部位５３において左右方向に互いに離間して配置されている。これらジャイロセンサ２１，２２は、一般的な角速度センサである。
【００２９】
次に、表示枠５の上面において規定される第１距離ｄ１および第２距離ｄ２について、図２を参照して説明する。第１距離ｄ１および第２距離ｄ２は、後述するスキャナヘッド２０４（図１０参照）の走査速度ｖを算出するために規定されるパラメータである。表示枠５の下枠部位５１の上面において、第１光センサ１１から第２光センサ１２までの距離を「第１距離ｄ１」とする。第２光センサ１２から表示パネル３までの距離を「第２距離ｄ２」とする。なお、図示しないが、第１距離ｄ１および第２距離ｄ２は、下枠部位５１のみならず、右枠部位５２、左枠部位５３、上枠部位５４においてもそれぞれ同様に規定されている。つまり、第１距離ｄ１および第２距離ｄ２は、各枠部位においてそれぞれ固有の距離でそれぞれ規定されている。これら規定値は、後述するＥＥＰＲＯＭ１０４の距離テーブル（図示外）にあらかじめ記憶されている。
【００３０】
本実施形態に係る表示端末１の電気的構成について、図３を参照して説明する。表示端末１は、表示端末１の全体の制御を司るＣＰＵ１０１を備えている。ＣＰＵ１０１には、ＲＯＭ１０２、ＲＡＭ１０３、ＥＥＰＲＯＭ１０４、表示制御部１０５、操作制御部１０７、計時装置１１１、記憶媒体読込部１１２等が、バス１１５を介して接続されている。ＣＰＵ１０１には、さらに、第１光センサ１１，１３，１５，１７、第２光センサ１２，１４，１６，１８、ジャイロセンサ２１，２２および温度センサ３０が、バス１１５を介して接続されている。
【００３１】
ＲＯＭ１０２は、ＣＰＵ１０１が実行する制御プログラム（画像表示プログラムを含む。）や、表示端末１の動作に関わる設定情報を記憶する。ＲＡＭ１０３は、各種データを一時的に記憶するメモリである。ＥＥＰＲＯＭ１０４は、後述する各種データを記憶する不揮発性メモリである。表示制御部１０５は、表示パネル３に接続されて、電気泳動粒子への印加電圧を制御して表示パネル３に画像を形成する。操作制御部１０７は、操作部１０８が接続されて、操作部１０８（多機能ボタン６、送りボタン７、戻しボタン８）での入力検知を行う。計時装置１１１は、各種時間を計測する計時専用のチップである。温度センサ３０は、表示パネル３の近傍に設けられて、表示パネル３における温度を計測するセンサである。
【００３２】
本実施形態では、表示パネル３として電気泳動表示パネルを採用しているため、表示端末１での電源供給が絶たれても表示パネル３に表示されている画像が維持される。一方、電気泳動表示パネルに使用される電気泳動粒子の温度特性によって、表示パネル３の温度が下がると画像の黒色が薄くなり、表示パネル３の温度が上がると画像の黒色が濃くなる。ここでは、表示パネル３の温度に応じて画像のコントラストが変化することを抑制するために、温度センサ３０で検出される温度に応じて電気泳動粒子に印加する電圧を変化させている。例えば、温度センサ３０での検出温度が高いほど、黒の電気泳動粒子を移動させる１５Ｖ電圧の印加時間が短くなり、かつ、白の電気泳動粒子を移動させる−１５Ｖ電圧の印加時間が長くなるように、５℃単位で電気泳動粒子に印加する電圧波形を変化させるなどである。
【００３３】
次に、ＥＥＰＲＯＭ１０４の各種記憶エリアについて、図４を参照して説明する。ＥＥＰＲＯＭ１０４には、画面レイアウト記憶エリア２１１、コントラスト記憶エリア２１２、諧調記憶エリア２１３、スリープ入り時間記憶エリア２１４、温度センサ設定記憶エリア２１５、キー操作設定記憶エリア２１６などが設けられている。
【００３４】
画面レイアウト記憶エリア２１１は、表示パネル３に画像を表示するときに使用される画面レイアウトが設定される記憶領域である。本実施形態の表示端末１では、コンテンツに含まれる一の画像が表示パネル３に一の画面として表示され、表示パネル３では画面単位で画像書換が行われる。例えば、画面レイアウト記憶エリア２１１に「通常」の画面レイアウトが設定されている場合には、図２に示すような通常画面３１が表示パネル３に表示される。図２に示す通常画面３１は、電池残量や現在日時などを示すステータス表示領域３１ａと、画像が表示される画像表示領域３１ｂとを含む。また、通常画面３１は、表示パネル３が有する表示面のほぼ全体に亘って表示される。
【００３５】
一方、画面レイアウト記憶エリア２１１に「スキャナ用」の画面レイアウトが設定されている場合には、図８に示すようなスキャナ画面３２が表示パネル３に表示される。図８に示すスキャナ画面３２は、画像が表示される画像表示領域３２ａと、コンテンツを構成する全画像数（全ページ数）およびコンテンツにおける画像の順序位置（ページ番号）を表示する情報表示領域３２ｂとを含む。また、スキャナ画面３２は、通常画面３１よりも余白が大きくなるように、表示パネル３が有する表示面の略中央位置に通常画面３１よりも縮小されたサイズで表示される。
【００３６】
コントラスト記憶エリア２１２は、表示パネル３に表示される画像のコントラスト比が設定される記憶領域である。本実施形態の表示パネル３では、コントラスト比が白の明るさ（白輝度）と黒の明るさ（黒輝度）の比を示し、例えばコントラスト比「７」は白輝度が黒輝度の７倍であることを示す。例えば、コントラスト記憶エリア２１２に「通常」のコントラスト比が設定されている場合は、表示パネル３の標準コントラスト比（ここでは、７〜８程度）で画像が表示される。一方、コントラスト記憶エリア２１２に「スキャナ用」のコントラスト比が設定されている場合は、標準コントラスト比よりも大きなコントラスト比（ここでは、９程度）で画像が表示される。
【００３７】
諧調記憶エリア２１３は、表示パネル３に表示される画像の諧調が設定される記憶領域である。本実施形態の表示パネル３では、白から黒までの明暗で表現される画像を、モノクロ（二値）からグレースケール（２５６階調）までの諧調で表示可能である。例えば、諧調記憶エリア２１３に「通常」の諧調が設定されている場合は、２５６階調のグレースケールで画像が表示される。一方、諧調記憶エリア２１３に「スキャナ用」の諧調が設定されている場合は、モノクロ（二値）で画像が表示される。
【００３８】
スリープ入り時間記憶エリア２１４は、表示端末１が電力消費の抑制される動作状態（所謂、スリープモード）に遷移される基準となる前回の画像書換からの経過時間（スリープ入り時間）が設定される記憶領域である。本実施形態の表示端末１は、「通常スリープモード」、「ディープスリープモード」、「シャットダウンモード」の３つのスリープモードを有する。なお、これらのスリープモード以外の動作状態を、後述する通常表示モードおよびスキャナ表示モードを含めて「ノーマルモード」と称する。
【００３９】
具体的には、表示パネル３での画像書換が終了した直後に、表示端末１は「ノーマルモード」から「通常スリープモード」に状態遷移される。表示パネル３での画像書換が終了してから所定時間（ここでは、３秒または１分）キー操作がない場合は、表示端末１は「通常スリープモード」から「ディープスリープモード」に状態遷移される。表示パネル３での画像書換が終了してから所定時間（ここでは、１５分）キー操作がない場合は、表示端末１は「ディープスリープモード」から「シャットダウンモード」に状態遷移される。これらのスリープモードは、いずれも「ノーマルモード」よりも消費電力が抑制されるが、それぞれのモードで消費電力が異なる。一例としては、「ノーマルモード」における電池駆動（ここでは、３．７Ｖとする。）での消費電力を数百ｍＡとすると、「通常スリープモード」での消費電力は数十ｍＡ、「ディープスリープモード」での消費電力は数ｍＡ、「シャットダウンモード」での消費電力は数μＡとなる。ただし、電力消費の少ないスリープモードであるほど、キー操作などに応じて表示端末１が「ノーマルモード」に復帰するまでの所要時間（言い換えると、表示パネル３での画像書換に必要な時間）が大きくなる。
【００４０】
本実施形態では、スリープ入り時間記憶エリア２１４に、３つのスリープモードのうちで「ディープスリープモード」に遷移されるまでのスリープ入り時間が設定されるものとする。そして、例えばスリープ入り時間記憶エリア２１４に「通常」のスリープ入り時間が設定されている場合は、表示パネル３での画像書換が終了してから３秒間キー操作がない場合に「ディープスリープモード」に状態遷移される。一方、スリープ入り時間記憶エリア２１４に「スキャナ用」のスリープ入り時間が設定されている場合は、表示パネル３での画像書換が終了してから１分間キー操作がない場合に「ディープスリープモード」に状態遷移される。
【００４１】
温度センサ設定記憶エリア２１５は、先述した温度センサ３０を動作させるか否かが設定される記憶領域である。例えば、温度センサ設定記憶エリア２１５に「ＯＮ」が設定されている場合は、温度センサ３０による温度検出が実行されるため、その検出温度に応じて電気泳動粒子への印加電圧が変化する。温度センサ設定記憶エリア２１５に「ＯＦＦ」が設定されている場合は、温度センサ３０による温度検出が実行されないため、その検出温度に起因する電圧変化は発生しない。
【００４２】
キー操作設定記憶エリア２１６は、操作部１０８でのキー操作を受け付けるか否かが設定される記憶領域である。例えば、キー操作設定記憶エリア２１６に「有効」が設定されている場合は、操作部１０８（多機能ボタン６、送りボタン７、戻しボタン８）での入力検知が行われる。一方、キー操作設定記憶エリア２１６に「無効」が設定されている場合は、操作部１０８（多機能ボタン６、送りボタン７、戻しボタン８）での入力検知が行われない。
【００４３】
本実施形態では、操作部１０８でのキー操作または後述のスキャナ処理（図１２参照）によって指示された画像が、外部記憶媒体４に記憶されているコンテンツ情報から読み出される。外部記憶媒体４から読み出された画像は、表示制御部１０５による画像書換によって表示パネル３に画面として表示される。表示制御部１０５は、ＣＰＵ１０１が実行する制御プログラムによって制御されており、各記憶エリア２１１〜２１３の設定内容（画面レイアウト、コントラスト比、諧調）に応じて画面を表示する。
【００４４】
また、計時装置１１１は、ＣＰＵ１０１が実行する制御プログラムによって制御されて、表示端末１に関する所定動作（例えば、操作部１０８でのキー操作、表示パネル３の画像書換、ジャイロセンサ２１，２２の角度変位など）が検出されると、ＲＡＭ１０３に記憶されている経過時間のカウントがリセットされる。つまり、計時装置１１１は、表示端末１に関する所定動作が検出された時点から、経過時間のカウントを開始する。後述するように経過時間を基準として、スリープ入り時間記憶エリア２１４に設定されているスリープ入り時間を経過したか否かが判断される。
【００４５】
また、温度センサ３０は、ＣＰＵ１０１が実行する制御プログラムによって制御されて、温度センサ設定記憶エリア２１５の設定内容（ＯＮ・ＯＦＦ）に応じて温度計測の実行または停止が制御される。また、操作制御部１０７は、ＣＰＵ１０１が実行する制御プログラムによって制御されて、キー操作設定記憶エリア２１６に応じて操作部１０８（多機能ボタン６、送りボタン７、戻しボタン８）での入力検知の実行または停止が制御される。
【００４６】
以下では、図５〜図１２を参照して、本実施形態の表示端末１にて実行される各種処理について説明する。
【００４７】
図５を参照して、表示端末１にて実行されるメイン処理について説明する。なお、図５に示すメイン処理は、ユーザによって電源ボタン（図示外）がオンされると、ＲＯＭ１０２に記憶されている制御プログラムに基づいて、ＣＰＵ１０１によって実行される。
【００４８】
図５に示すように、表示端末１のメイン処理では、まず表示パネル３の表示面（つまり、表示端末１の正面）の向きに所定の変化があったか否か判断される（Ｓ１）。Ｓ１では、２つのジャイロセンサ２１，２２から検出される角速度に基づいて、表示パネル３の表示面の向きに所定の変化があったか否かが判断される。ここでは、表示パネル３の表示面が下向きから他の向き（下向き以外の向き）に変化した場合と、表示パネル３の表示面が他の向き（下向き以外の向き）から下向きに変化した場合とに、表示パネル３の表示面の向きに所定の変化があったと判断される。なお、表示パネル３の表示面が「下向き」である状態は、例えば表示端末１の正面方向に延び且つ表示パネル３の表示面と直交する線が鉛直線（言い換えると、重力方向）に対して所定範囲内の角度（例えば、３０°以内）をなす状態をいう。
【００４９】
ところで、表示端末１のユーザは、通常時では表示パネル３の表示面を視認しやすい上向きや横向きにして、表示パネル３に表示されている画像を閲覧するのが一般的である。一方、図９に示すように、表示パネル３に表示されている画像をコピー機２で複写する場合には、ユーザはコピー機２の圧版２０１を開いてスキャナ部分の原稿台２０２に表示パネル３の表示面を下向きにして表示端末１を載置する。そして、図１０に示すように、スタートボタン２０３を押下することで、コピー機２のスキャナヘッド２０４による画像読取を実行させる。このように、表示端末１のユーザは、用途や目的に応じて表示パネル３の表示面の向きを適宜変化させる。
【００５０】
表示パネル３の表示面の向きに所定の変化があったと判断された場合（Ｓ１：ＹＥＳ）、表示パネル３の表示面が下向きであるか否かが判断される（Ｓ３）。Ｓ３では、２つのジャイロセンサ２１，２２から検出される角速度に基づいて、表示パネル３の表示面が下向きであるか否か判断される。そして、表示パネル３の表示面が下向きでないと判断された場合（Ｓ３：ＮＯ）、表示端末１が下向きから他の向き（例えば、上向きや前向き）にされたことを意味する。このとき、コピー機２などで画像読取が行われないと推定されるから、表示端末１を「通常表示モード」に状態遷移させる通常表示モード処理が実行される（Ｓ３）。「通常表示モード」は、表示パネル３に視認しやすい態様で画像が表示されるとともに、通常時での操作性に優れた表示モードである。
【００５１】
一方、表示パネル３の表示面が下向きであると判断された場合（Ｓ３：ＹＥＳ）、表示端末１が他の向き（例えば、上向きや前向き）から下向きにされたことを意味する。このとき、コピー機２などで画像読取が行われると推定されるから、表示端末１を「スキャナ表示モード」に状態遷移させるスキャナ表示モード処理が実行される（Ｓ７）。「スキャナ表示モード」は、表示パネル３に画像読取に好適な態様で画像が表示されるとともに、スキャナ時での操作性に優れた表示モードである。
【００５２】
図６に示すように、通常表示モード処理（Ｓ５）では、ＥＥＰＲＯＭ１０４にて「通常表示モード」に応じた各種設定が実行される。すなわち、画面レイアウト記憶エリア２１１に「通常」の画面レイアウトが設定される（Ｓ３１）。コントラスト記憶エリア２１２に「通常」のコントラスト比が設定される（Ｓ３３）。諧調記憶エリア２１３に「通常」の諧調が設定される（Ｓ３５）。スリープ入り時間記憶エリア２１４に「通常」のスリープ入り時間が設定される（Ｓ３７）。温度センサ設定記憶エリア２１５に「ＯＮ」が設定されて、温度センサ３０の動作が実行される（Ｓ３９）。キー操作設定記憶エリア２１６に「有効」が設定されて、操作部１０８での入力検知が実行される（Ｓ４１）。最後に、表示パネル３に表示されている画面が、Ｓ３１〜Ｓ３５で設定された内容に応じて書き換えられる（Ｓ４３）。Ｓ４３での画面書換が行われたのち、メイン処理（図５）に戻る。
【００５３】
例えば、表示パネル３の表示面が下向きから他の向き（上向きや前向きなど）に変化すると、Ｓ４３の画面書換によって、表示パネル３に表示されているスキャナ画面３２（図８参照）が通常画面３１（図２参照）に書き換えられる。図２に示す通常画面３１は、標準コントラスト比（７〜８程度）および２５６階調のグレースケールで表示される。温度センサ３０による温度検出が実行されるため、その検出温度に応じて電気泳動粒子への印加電圧が変化する。操作部１０８での入力検知が実行されるため、キー操作が受け付けられる。また、計時装置１１１による経過時間のカウントがリセットされる。
【００５４】
図７に示すように、スキャナ表示モード処理（Ｓ７）では、ＥＥＰＲＯＭ１０４にて「スキャナ表示モード」に応じた各種設定が実行される。すなわち、画面レイアウト記憶エリア２１１に「スキャナ用」の画面レイアウトが設定される（Ｓ５１）。コントラスト記憶エリア２１２に「スキャナ用」のコントラスト比が設定される（Ｓ５３）。諧調記憶エリア２１３に「スキャナ用」の諧調が設定される（Ｓ５５）。スリープ入り時間記憶エリア２１４に「スキャナ用」のスリープ入り時間が設定される（Ｓ５７）。温度センサ設定記憶エリア２１５に「ＯＦＦ」が設定されて、温度センサ３０の動作が停止される（Ｓ５９）。キー操作設定記憶エリア２１６に「無効」が設定されて、操作部１０８での入力検知が停止される（Ｓ６１）。最後に、表示パネル３に表示されている画面が、Ｓ５１〜Ｓ５５で設定された内容に応じて書き換えられる（Ｓ６３）。Ｓ６３での画面書換が行われたのち、メイン処理（図５）に戻る。
【００５５】
例えば、表示パネル３の表示面が他の向き（上向きや前向きなど）から下向きに変化すると、Ｓ６３の画面書換によって、表示パネル３に表示されている通常画面３１（図２参照）がスキャナ画面３２（図８参照）に書き換えられる。図８に示すスキャナ画面３２は、コントラスト比「９」およびモノクロ（二値）で表示される。温度センサ３０による温度検出が停止されるため、その検出温度に起因する電圧変化は発生しない。操作部１０８での入力検知が停止されるため、キー操作が受け付けられない。また、計時装置１１１による経過時間のカウントがリセットされる。
【００５６】
このように、「スキャナ表示モード」では、表示パネル３にスキャナ画面３２（図８参照）が表示される。スキャナ画面３２（図８参照）には、コピー機２などの画像読取によってデータ化または印刷されたのちに無用となる情報（ステータス表示領域３１ａ）が表示されない一方、データ化または印刷されたのちに有用となる情報（情報表示領域３２ｂ）が表示される。そのため、コピー機２などで得られたスキャナ画面３２の複写データや印刷物の利便性を高めて、ユーザが有効に活用することができる。
【００５７】
また、スキャナ画面３２（図８参照）は、通常画面３１よりも高コントラストおよび低諧調で表示されるため、画像中の白黒対比や輪郭線が明確となる。このように、スキャナ画面３２（図８参照）はコピー機２などの画像読取に好適な態様で表示されるため、スキャナ画面３２の複写データや印刷物の視認性を高めることができる。
【００５８】
また、コピー機２などの画像読取時には、表示パネル３に照射されるスキャナ光によって表示パネル３近傍の温度が上昇することがある。すると、温度センサ３０によって温度上昇が検知されて、その検出温度に応じて電気泳動粒子に印加する電圧が変化する。すると、画像読取中に画像のコントラスト比が変化して、スキャナ画面３２の複写データや印刷物が劣化する不具合が生じるおそれがある。その点、「スキャナ表示モード」では、温度センサ３０の動作が停止されるため、スキャナ光によって表示パネル３の温度が上昇しても、スキャナ画面３２に関する複写データの画像品質や印刷物の印刷品質などが劣化する不具合が抑制される。
【００５９】
さらに、「スキャナ表示モード」では、操作部１０８でのキー操作が無効化されるため、表示端末１をコピー機２に載置したときに原稿台２０２が操作部１０８を押圧しても、表示端末１は反応しない。そのため、表示パネル３の表示面を原稿台２０２に押し当てたとしても、表示パネル２に表示される画像が意図せずに書き換えられたり、表示端末１が誤動作してしまったりする不具合の発生が防止される。
【００６０】
メイン処理（図５）に戻り、Ｓ６３での画面書換が行われたのち、コピー機２などの画像読取に応じて自動的に表示パネル３の画面書換を行うスキャナ処理が起動される（Ｓ９）。ここで、図９〜図１２を参照して、本実施形態において表示パネル３の表示画像がコピー機２で読み取られる態様を踏まえて、Ｓ９で起動されるスキャナ処理の詳細について説明する。
【００６１】
まず、表示パネル３の表示画像がコピー機２で読み取られる態様について、図９〜図１１を参照して説明する。先述したように、コピー機２の原稿台２０２に表示パネル３を下向きにして表示端末１が載置された状態でスタートボタン２０３を押下されると、表示パネル３に表示された画像がスキャナヘッド２０４に読み取られる（図９および図１０参照）。ここで、原稿台２０２に載置された表示端末１の向きによっては、表示パネル３に対するスキャナヘッド２０４の走査方向が異なる。
【００６２】
例えば、図１１に示すように、スキャナヘッド２０４の走査開始となる基準位置側に、表示端末１の下枠部位５１を合わせて載置した場合、表示パネル３がスキャナヘッド２０４によって「下側から上側」に向かって走査される。また、スキャナヘッド２０４の走査開始となる基準位置側に、表示端末１の上枠部位５４を合わせて載置した場合、表示パネル３がスキャナヘッド２０４によって「上側から下側」に向かって走査される。また、スキャナヘッド２０４の走査開始となる基準位置側に、表示端末１の右枠部位５２を合わせて載置した場合、表示パネル３がスキャナヘッド２０４によって「右側から左側」に向かって走査される。また、スキャナヘッド２０４の走査開始となる基準位置側に、表示端末１の左枠部位５３を合わせて載置した場合、表示パネル３がスキャナヘッド２０４によって「左側から右側」に向かって走査される。
【００６３】
そこで、表示パネル３に対するスキャナヘッド２０４の走査方向を特定するために、表示枠５の各枠部位に設けられた第１光センサ１１，１３，１５，１７を利用する。つまり、表示枠５の各枠部位に設けられた第１光センサ１１，１３，１５，１７のうち、どの第１光センサがスキャナヘッド２０４のスキャナ光を検出したかでその走査方向を特定できる。例えば、第１光センサ１１がスキャナ光を検出した場合は、表示パネル３に対するスキャナヘッド２０４の走査方向は「下側から上側」である。第１光センサ１３がスキャナ光を検出した場合は、表示パネル３に対するスキャナヘッド２０４の走査方向は「右側から左側」である。第１光センサ１５がスキャナ光を検出した場合は、表示パネル３に対するスキャナヘッド２０４の走査方向は「左側から右側」である。第１光センサ１７がスキャナ光を検出した場合は、表示パネル３に対するスキャナヘッド２０４の走査方向は「上側から下側」である。そして、スキャナヘッド２０４の走査方向を特定することで、表示枠５におけるどの枠部位の第１距離ｄ１および第２距離ｄ２を使えばよいかを決定することができる。
【００６４】
図１２に示すように、Ｓ９で起動されるスキャナ処理では、まず第１光センサ１１，１３，１５，１７のいずれかがスキャナ光を検出したか否かが判断される（Ｓ１０１）。先述したように、原稿台２０２に載置された表示端末１の表示パネル３では、スタートボタン２０３が押下されるとスキャナヘッド２０４による走査が開始されるため、第１光センサ１１，１３，１５，１７のいずれかでスキャナ光が検出される。第１光センサがスキャナ光を検出するまでは（Ｓ１０１：ＮＯ）、Ｓ１０１に戻って待ち状態となる。
【００６５】
第１光センサ１１，１３，１５，１７のいずれかがスキャナ光を検出した場合（Ｓ１０１：ＹＥＳ）、表示パネル３に表示されている画像が最初に読み取られる画像（最初のページ）であるか否かが判断される（Ｓ１０３）。Ｓ１０３では、ＲＡＭ１０３にスキャナ処理（図１２参照）で読み取られた画像の枚数を記憶しておき、その読取枚数が「０」であれば最初のページであると判断される（Ｓ１０３：ＹＥＳ）。このとき、第１光センサがスキャナ光を検出した時刻ｔ１およびスキャナヘッド２０４の走査方向が、ＲＡＭ１０３に記憶される
【００６６】
続いて、第２光センサ１２，１４，１６，１８のいずれかがスキャナ光を検出したか否かが判断される（Ｓ１０５）。第２光センサがスキャナ光を検出するまでは（Ｓ１０５：ＮＯ）、Ｓ１０５に戻って待機状態となる。第２光センサ１２，１４，１６，１８のいずれかがスキャナ光を検出した場合（Ｓ１０５：ＹＥＳ）、第２光センサがスキャナ光を検出した時刻ｔ２およびスキャナヘッド２０４の走査方向が、ＲＡＭ１０３に記憶される。
【００６７】
そして、スキャナヘッド２０４の走査速度ｖが算出されてＲＡＭ１０３に記憶される（Ｓ１０７）。Ｓ１０７では、ＲＡＭ１０３に記憶された時刻ｔ２から時刻ｔ１を差し引くことで、第１光センサから第２光センサまでに要した時間Ｔ１が算出される。スキャナヘッド２０４の走査方向に基づいて、ＥＥＰＲＯＭ１０４の距離テーブル（図示外）から、スキャナ光を検出した第１光センサに対応する第１距離ｄ１が取得される。第１距離ｄ１および時間Ｔ１に基づいて、スキャナヘッド２０４の走査速度ｖが算出される。
【００６８】
続いて、「スキャナ表示モード」が終了されたか否かが判断される（Ｓ１０９）。Ｓ１０９では、ＥＥＰＲＯＭ１０４の設定内容が「通常表示モード」に対応していれば、「スキャナ表示モード」が終了されたと判断される（Ｓ１０９：ＹＥＳ）。例えば、ユーザがスキャナ処理（図１２参照）の実行中に、コピー機２に載置された表示端末１を持ち上げて、表示パネル３の表示面を下向きから他の向き（上向きや前向き）に回転させたとする。すると、表示パネル３の表示面が他の向きに変化したことが検出されて（Ｓ１：ＹＥＳ，Ｓ３：ＮＯ）、先述の通常表示モード処理（Ｓ５）にて「通常表示モード」に応じた設定がなされる。これにより、Ｓ１０９では、ＥＥＰＲＯＭ１０４の設定内容に応じて、現在の表示モードを判断することが可能となる。なお、キー操作によって「スキャナ表示モード」の終了指示がなされた場合も、「スキャナ表示モード」が終了されたと判断される（Ｓ１０９：ＹＥＳ）。「スキャナ表示モード」が終了された場合は（Ｓ１０９：ＹＥＳ）、そのままスキャナ処理（図１２）を終了する。
【００６９】
一方、ＥＥＰＲＯＭ１０４の設定内容が「スキャナ表示モード」に対応していれば、表示パネル３の表示面が下向きであって「スキャナ表示モード」が続いていると判断される（Ｓ１０９：ＮＯ）。このときはＳ１０１に戻り、スキャナヘッド２０４による次の画像読取に対して待ち状態となる。この間、コピー機２では、スキャナヘッド２０４による最初の画像読取が終了し、次の画像読取を行うためにスキャナヘッド２０４が基準位置に戻る。このとき、ＲＡＭ１０３に記憶された読取枚数が１加算される。
【００７０】
その後、「スキャナ表示モード」が続いている状態でスキャナヘッド２０４による走査が開始され、先述と同様に、第１光センサ１１，１３，１５，１７のいずれかがスキャナ光を検出したか否かが判断される（Ｓ１０１）。第１光センサ１１，１３，１５，１７のいずれかがスキャナ光を検出した場合（Ｓ１０１：ＹＥＳ）、表示パネル３に表示されている画像が最初の画像であるか否かが判断される（Ｓ１０３）。ここで、ＲＡＭ１０３には読取枚数＝１が記憶されているから（Ｓ１０３：ＮＯ）、最初の画像ではないと判断されてパネル書換時間が取得および設定される（Ｓ１１１）。Ｓ１１１では、スキャナ光を検出した第１光センサの場所から特定されたスキャナヘッド２０４の走査方向に基づいて、先述の距離テーブル（図示外）から第１光センサに対応する第１距離ｄ１と第２光センサに対応する第２距離ｄ２とが取得される。第１距離ｄ１と第２距離ｄ２とを足すことで、スキャナヘッド２０４の走査方向における第１光センサから表示パネル３までの第３距離ｄ３が算出される。第３距離ｄ３とスキャナヘッド２０４の走査速度ｖとに基づいて、到達時間Ｔ２が算出される。ＥＥＰＲＯＭ１０４の設定時間テーブル（図示外）を参照して、到達時間Ｔ２から設定可能なパネル書換時間が取得される。なお、設定時間テーブル（図示外）には、表示パネル３に表示された画像を書き換えるための複数の設定時間（例えば、１０秒、５秒、１秒、０．５秒など）が記憶されている。Ｓ１１１ではパネル書換時間として、到達時間Ｔ２よりも短く、かつ、複数の設定時間の中で最も長い設定時間が取得される。
【００７１】
そして、第１光センサがスキャナ光を検出してからＳ１１１で設定されたパネル書換時間が経過したときに、表示パネル３に次の画像を表示させる（Ｓ１１３）。つまり、スキャナヘッド２０４が第１光センサを検出してからパネル書換時間を経過すると、外部記憶媒体４のコンテンツ情報から取得された次の画像が表示パネル３に書換表示される。これにより、スキャナヘッド２０４が表示パネル３に到達する前に、表示パネル３に表示された画像を確実に書き換えることができる。よって、スキャナ中に画像が書き換えられる不具合が防止され、表示パネル３にて順次書換表示される複数の画像を確実に読み取らせることができる。
【００７２】
なお、Ｓ１１３で書換表示される画像も、ＥＥＰＲＯＭ１０４で「スキャナ表示モード」に対応して設定されている内容に基づいて、スキャナ画面３２（図８参照）のレイアウト、コントラスト比「９」およびモノクロ（二値）に基づいて表示される。温度センサ３０による温度検出が停止されたままであるため、その検出温度に起因する電圧変化は発生しない。操作部１０８での入力検知が停止されたままであるため、キー操作は無効化される。また、計時装置１１１による経過時間のカウントがリセットされる。
【００７３】
その後、先述と同様に、「スキャナ表示モード」が終了されたか否かが判断される（Ｓ１０９）。ここでは、コンテンツ情報に含まれる全ての画像が読み取られたときも、「スキャナ表示モード」が終了されたと判断される（Ｓ１０９：ＹＥＳ）。そして、「スキャナ表示モード」が終了された場合（Ｓ１１３：ＹＥＳ）、そのままスキャナ処理（図１２）を終了する。「スキャナ表示モード」が持続されている場合は（Ｓ１０９：ＮＯ）、Ｓ１０１に戻って「スキャナ表示モード」が終了するまで処理が繰り返される。
【００７４】
メイン処理（図５）に戻り、Ｓ５またはＳ９が実行されたのち、表示端末１をＲＡＭ１０３に記憶されている経過時間に応じたスリープモードとするスリープモード処理が実行される（Ｓ１１）。Ｓ１１では、経過時間が０秒を経過していれば（つまり、経過時間のカウントが行われていれば）、「ノーマルモード」から「通常スリープモード」に状態遷移される。また、経過時間が１５分を経過していれば、「ディープスリープモード」から「シャットダウンモード」に状態遷移される。
【００７５】
ただし、本実施形態のＳ１１では、「通常スリープモード」から「ディープスリープモード」に状態遷移されるタイミングが、スリープ入り時間記憶エリア２１４に設定されているスリープ入り時間によって異なる。具体的には、Ｓ３７にて「通常」のスリープ入り時間が設定される場合、経過時間が３秒を経過していれば「ディープスリープモード」に状態遷移される。また、Ｓ５７にて「スキャナ用」のスリープ入り時間が設定される場合、経過時間が１分を経過していれば「ディープスリープモード」に状態遷移される。
【００７６】
先述したように「ディープスリープモード」は、「ノーマルモード」や「通常スリープモード」よりも消費電力は小さいが、画像書換の所要時間が大きくなる（つまり、画像書換が遅い）。そのため、表示端末１が「ディープスリープモード」のときにスキャナ処理（図１２参照）が実行されると、表示パネル３の書換速度よりもスキャナヘッド２０４の走査速度のほうが大きくなってしまい、適切に画像読取が行われないおそれがある。その点、先述の「スキャナ表示モード」では「通常表示モード」よりもスリープ入り時間が長く設定されるため、スキャナ処理（図１２参照）の実行中に「ディープスリープモード」に状態遷移してしまう不具合の発生が抑制される。
【００７７】
そして、表示端末１に関する所定動作があったか否かが判断される（Ｓ１３）。所定動作がない場合は（Ｓ１３：ＮＯ）、Ｓ１１に戻って引き続き経過時間のカウントが行われ、その経過時間に応じたスリープモードが設定される。一方、所定動作があった場合は（Ｓ１３：ＹＥＳ）、計時装置１１１による経過時間のカウントがリセットされてＳ１に戻る。なお、メイン処理（図５）は、表示端末１が電源オフされるまで繰り返し実行される。
【００７８】
Ｓ１に戻り、表示パネル３の表示面の向きに所定の変化がない場合は（Ｓ１：ＮＯ）、各モード処理（Ｓ５，Ｓ７）を実行することなくＳ１１に移る。つまり、表示パネル３の表示面が他の向きである状態が維持されている間は（Ｓ１：ＮＯ）、ＥＥＰＲＯＭ１０４の設定内容が「通常表示モード」に対応している。かかる状態において、操作部１０８でのキー操作などに応じて表示パネル３の画像書換が発生すると、先述した通常画面３１の画面レイアウト、２５６階調のグレースケールおよび標準コントラスト比に基づいて画像が表示される。また、温度センサ３０による計測が継続して実行され、スリープ入り時間が「３秒」に維持される。また、操作部１０８での入力検知が継続して実行され、ユーザはキー操作によって表示端末１に各種指示を行うことができる。
【００７９】
一方、表示パネル３の表示面が下向きである状態が維持されている間は（Ｓ１：ＮＯ）、ＥＥＰＲＯＭ１０４の設定内容が「スキャナ表示モード」に対応している。かかる状態において、操作部１０８でのキー操作やスキャナ処理（図１２参照）などに応じて表示パネル３の画像書換が発生すると、先述したスキャナ画面３２の画面レイアウト、モノクロ（二値）および高コントラスト比に基づいて画像が表示される。また、温度センサ３０による計測が継続して停止され、スリープ入り時間が「１分」に維持される。また、操作部１０８での入力検知が継続して停止され、キー操作は無効とされる。
【００８０】
このように、上記のメイン処理（図５）では、表示パネル３の表示面が下向き以外に変化すると、表示端末１がユーザの画像閲覧に好適な状態（通常表示モード）となる。一方、表示パネル３の表示面が下向きに変化すると、表示端末１がコピー機２などの画像読取に好適な状態（スキャナ表示モード）となる。そのため、ユーザが表示パネル３の表示面を用途や目的に応じて変化させるという簡単な操作によって、表示端末１を好適な表示モードに切り替えることができる。
【００８１】
以上説明したように、本実施形態の表示端末１では、表示パネル３の表示面が向いている方向に応じて、「通常表示モード」と「スキャナ表示モード」のいずれかに従って表示パネル３に画像が表示される。よって、表示端末１（すなわち、表示パネル３の表示面）の向きを変えるだけで、複数の表示モードを切り替えることができる。そして、コピー機２などに画像を読み取らせるのに好適な「スキャナ表示モード」に切り替えるユーザの操作負担を軽減することができる。
【００８２】
さらに、表示パネル３の表示面が鉛直方向（重力方向）に対して下向きまたは他の向きのいずれであるかが判断される。表示面が他の向きであれば「通常表示モード」で画像が表示され、表示面が下向きであれば「スキャナ表示モード」で画像が表示される。つまり、ユーザが画像を閲覧するときは表示面を上向きにする一方、コピー機２などで画像読取を行うときは表示面を下向きにすることが一般的に行われていることを鑑みて、ユーザの自然な動作に即して最適な表示モードに制御される。そのため、表示端末１に表示される画像の用途や目的に応じて、正確かつ容易に表示モードを切り替えることができる。
【００８３】
ところで、上記実施形態において、表示端末１が本発明の「表示端末装置」に相当し、表示パネル３が本発明の「表示手段」に相当し、外部記憶媒体４が本発明の「記憶手段」に相当し、ジャイロセンサ２１，２２が本発明の「方向検出手段」に相当し、ＣＰＵ１０１が本発明の「表示制御手段」に相当する。Ｓ３を実行するＣＰＵ１０１が、本発明の「方向判断手段」に相当する。Ｓ５，Ｓ７を実行するＣＰＵ１０１が、本発明の「表示状態制御手段」に相当する。Ｓ５を実行するＣＰＵ１０１が、本発明の「閲覧表示制御手段」に相当する。Ｓ７を実行するＣＰＵ１０１が、本発明の「読取表示制御手段」に相当する。ＲＯＭ１０２に記憶される制御プログラムが本発明の「表示制御プログラム」に相当し、Ｓ３が本発明の「方向判断ステップ」に相当し、Ｓ５，Ｓ７が本発明の「表示状態制御ステップ」に相当する。
【００８４】
なお、本発明は上記実施形態に限定されるものではなく、発明の要旨を変更しない範囲での変更が可能である。上記実施形態では、表示パネル３の表示面の向きに応じて「通常表示モード」および「スキャナ表示モード」が切り替えられる場合を例示したが、これに限定されない。例えば、表示パネル３の表示面が右向きに変化された場合に、表示端末１のステータス情報（電池残量、日時情報、所有者情報など）を表示したり、表示パネル３の表示面が左向きに変化された場合に、外部記憶媒体４に記憶されているコンテンツ情報や画像データの一覧を表示したりしてもよい。
【符号の説明】
【００８５】
１      表示端末
２      コピー機
３      表示パネル
４      外部記憶媒体
２１    第１ジャイロセンサ
２２    第２ジャイロセンサ
３０    温度センサ
３１    通常画面
３２    スキャナ画面
１０１  ＣＰＵ
１０２  ＲＯＭ
１０３  ＲＡＭ
１０４  ＥＥＰＲＯＭ
１０５  表示制御部
１１１  計時装置
２１１  画面レイアウト記憶エリア
２１２  コントラスト記憶エリア
２１３  諧調記憶エリア
２１４  スリープ入り時間記憶エリア
２１５  温度センサ設定記憶エリア
【図１】
2010210964.tif 000003
【図２】
2010210964.tif 000004
【図３】
2010210964.tif 000005
【図４】
2010210964.tif 000006
【図５】
2010210964.tif 000007
【図６】
2010210964.tif 000008
【図７】
2010210964.tif 000009
【図８】
2010210964.tif 000010
【図９】
2010210964.tif 000011
【図１０】
2010210964.tif 000012
【図１１】
2010210964.tif 000013
【図１２】
2010210964.tif 000014